(57)【特許請求の範囲】
【請求項１】
流路内に有底の環状体からなるゴムボタンとこれに嵌合するフロートの組合せを有し、ゴムボタンは、側管中に嵌合しており、該ゴムボタンの外壁の周囲に円周方向にシールリップを有すると共に、底の中央部に下方に延びる凸部を有し、該凸部は、先端が閉塞孔を有する有孔であって、該内壁には円周方向にシールリップを有し、かつ凸部は本管の流通孔に嵌合しており、またフロートは、周囲に空気発散孔が設けられたフランジを有すると共に、該フロートのフランジは、前記ゴムボタンの上面に載置され、かつ該フロートは、ゴムボタンの凹部に挿入されており、更に該フロートの中央部から直下に延びるフロート筒を有し、かつ該筒の内孔と連通した上部に受入部を有するものからなり、更に該フロート筒はゴムボタンの有孔に挿入されており、かつ有孔の先端の閉塞孔を摺動自在に貫通し得ることを特徴とするニードルレス混注管。
【請求項２】
ゴムボタンの側壁に少なくとも２個の欠除部を有することを特徴とする請求項１に記載のニードルレス混注管。
【請求項３】
ゴムボタンは中央部に先端が閉塞孔である筒状凸部を有し、その反対側が平面に形成されたゴムボタンＩとこの上に環状部材からなるゴムボタンＩＩとからなり、前記ゴムボタンＩの筒状凸部は、本管の流通孔に嵌合しており、更に本管の流通路には落下止を有することを特徴とする請求項１に記載のニードルレス混注管。
【請求項４】
ゴムボタンＩＩが環状部材に代えて環状スプリングを用いたことを特徴とする請求項３に記載のニードルレス混注管。
【請求項５】
ゴムボタンＩとゴムボタンＩＩとの間にプレートが介在していることを特徴とする請求項３又は請求項４に記載のニードルレス混注管。
【発明の詳細な説明】
【０００１】
【発明の属する技術分野】
本発明は、ニードルレス混注管に関するものであり、更に詳しくは側管に接続する操作者が誤って手に針を刺すことがなく、また困難なく容易に接続操作が可能なニードルレス混注管に関する。
【０００２】
【従来の技術】
従来、患者に薬液や栄養液等を与える際、静脈に挿入されたカテーテルにチューブを接続し、このチューブへ薬液や栄養液等を供給するが、複数の薬液を患者に供給する場合もしばしばあり、そのような場合には、分岐管を有す混注管が使用される。従来この混注管は分岐管の開口部にゴム部材を密栓し、このゴム部材に穿刺針を突き刺してシリンジ等と接続し、薬液等を注入する。また三方活栓を輸液本管と側管との合流部に形成して薬液等の注入を行うものも知られている。またゴム栓キャップに、一文字、×字形等の切り込みからなる閉塞孔を有する構造からなり、この切り込みに細い円管状のものを押し込む、いわゆる無針の専用オス管を刺し込み、液を流通させる製品が販売されている。
【０００３】
更に特開平８−２０６２３０号に開示されている如く、適宜形状のゴム部材で密栓した輸液用ニードルレス混注管が知られ、このゴム部材には、十文字形等の密着孔が設けられており、この密着孔にニードル乃至シリンジを挿入することにより連通することが示されている。また別の例では、特開平１０−１９２４１５号公報には、分岐管を有する側注管において、分岐管に、閉塞部を有するゴム状弾性体を有し、このゴム状弾性体は分岐管内で支持部材で支持される如くされたものが記載されている。
【０００４】
【発明が解決しようとする課題】
しかしながら、前述の如く混注管の分岐管の開口部にゴム部材を密栓したものにあっては、ゴム部材に穿刺針を突き刺すのにかなり強い力が必要で、その結果操作者が誤って穿刺針を手に刺してしまう恐れがあり問題であった。また三方活栓を使用する場合には、三方活栓を閉栓している管路は外気に曝されているので、雑菌による汚染が起こりやすいという問題があった。またゴム栓キャップに、一文字、×字形等の切り込みからなる閉塞孔を有する構造のものは、使用に際し、専用のオス管が必要となるばかりでなく、オス管の外径に限度が生じ、特に現在市販されているシリンジのテーパー部を有する太径のものは挿入が困難であり、仮に挿入できるとしても切り込み部分に亀裂が生じる等安全性に欠ける。またシリンジ等を抜く際、先端筒状管が太いためゴム栓が塞がるまでにわずかな時間がかかり、液もれを起こす等の問題がある。
【０００５】
更に最近公開された特開平８−２０６２３０号に記載の混注管のゴム部材の場合には、側注管またはシリンジを無菌状態で接続、分離等の操作を行うことができ、穿刺針のように誤って手に刺すようなことがない点で優れた効果を奏するものではあるが、シリンジ等の刺し込みが今一つ容易でないという問題が考えられる。更にまた特開平１０−１９２４１５号公報に記載の閉塞部を有するゴム状弾性体を有し、このゴム状弾性体は分岐管内で支持部材で支持される如くされたものでは、その構造が複雑で経済的でないという問題が考えられる。
【０００６】
そこで、本発明等は、これらの問題点につき種々検討した結果、シリンジ等の刺し込みが容易であり、かつ簡単な構造からなり経済的であるゴム部材の構造を案出することができたもので、この知見に基づいて本発明のニードルレス混注管が完成し、特許出願した。この特許出願にかかる特願平１０−３３３６５０号は、ニードルレス混注管の側管中の弾性部材は、本管と側管との流通を遮断しており、該弾性部材の中央部には閉塞孔を有し、またこの弾性部材の上部には同心円状に円筒部分と円錐部分からなる凹部を有すると共に、該円筒部分の内壁の一部は蓋の舌片で覆われていることを特徴とするものである。
【０００７】
これに鑑み、更に検討を加えた結果、全く新規な構造で、これはフロートとゴムボタンとの組合せにより流路に液を流通させたりまたは遮断したりすることができるもので、シリンジ等の刺し込みがいっそう容易となるばかりでなく、使用時に液もれがなく、耐久性に優れた構造を案出した。したがって、本発明が解決しようとする課題は、シリンジ等の刺し込みがいっそう容易であり、液もれがなくかつ成形が簡単かつ容易であり経済的であり応用範囲が広いニードルレス混注管を提供するものである。
【０００８】
【課題を解決するための手段】
本発明の上記課題は、以下の各請求項に記載された発明によってそれぞれ達成される。
【０００９】
（１）流路内に有底の環状体からなるゴムボタンとこれに嵌合するフロートの組合せを有し、ゴムボタンは、側管中に嵌合しており、該ゴムボタンの外壁の周囲に円周方向にシールリップを有すると共に、底の中央部に下方に延びる凸部を有し、該凸部は、先端が閉塞孔を有する有孔であって、該内壁には円周方向にシールリップを有し、かつ凸部は本管の流通孔に嵌合しており、またフロートは、周囲に空気発散孔が設けられたフランジを有すると共に、該フロートのフランジは、前記ゴムボタンの上面に載置され、かつ該フロートは、ゴムボタンの凹部に挿入されており、更に該フロートの中央部から直下に延びるフロート筒を有し、かつ該筒の内孔と連通した上部に受入部を有するものからなり、更に該フロート筒はゴムボタンの有孔に挿入されており、かつ有孔の先端の閉塞孔を摺動自在に貫通し得ることを特徴とするニードルレス混注管。
（２）ゴムボタンの側壁に少なくとも２個の欠除部を有することを特徴とする前記第１項に記載のニードルレス混注管。
（３）ゴムボタンは中央部に先端が閉塞孔である筒状凸部を有し、その反対側が平面に形成されたゴムボタンＩとこの上に環状部材からなるゴムボタンＩＩとからなり、前記ゴムボタンＩの筒状凸部は、本管の流通孔に嵌合しており、更に本管の流通路には落下止を有することを特徴とする前記第１項に記載のニードルレス混注管。
（４）ゴムボタンＩＩが環状部材に代えて環状スプリングを用いたことを特徴とする前記第３項に記載のニードルレス混注管。
（５）ゴムボタンＩとゴムボタンＩＩとの間にプレートが介在していることを特徴とする前記第３項又は第４項に記載のニードルレス混注管。
【００１０】
前記第１項に記載されるように、本発明のニードルレス混注管は、流路内に有底の環状体からなるゴムボタンとこれに嵌合するフロートの組合せを有し、ゴムボタンは、側管中に嵌合しており、該ゴムボタンの外壁の周囲に円周方向にシールリップを有すると共に、底の中央部に下方に延びる凸部を有し、該凸部は、先端が閉塞孔を有する有孔であって、該内壁には円周方向にシールリップを有し、かつ凸部は本管の流通孔に嵌合しており、またフロートは、周囲に空気発散孔が設けられたフランジを有すると共に、該フロートのフランジは、前記ゴムボタンの上面に載置され、かつ該フロートは、ゴムボタンの凹部に挿入されており、更に該フロートの中央部から直下に延びるフロート筒を有し、かつ該筒の内孔と連通した上部に受入部を有するものからなり、更に該フロート筒はゴムボタンの有孔に挿入されており、かつ有孔の先端の閉塞孔を摺動自在に貫通し得ることを特徴とするもので、特に、ゴムボタンは、側管中に嵌合しており、該ゴムボタンの外壁の周囲に円周方向にシールリップを有すると共に、底の中央部に外方に延びる凸部を有し、該凸部は、先端が閉塞孔を有する有孔であって、該内壁には円周方向にシールリップを有し、かつ凸部は本管の流通孔に嵌合しており、またフロートは、周囲に空気発散孔が設けられたフランジを有すると共に、該フロートのフランジは、前記ゴムボタンの上面に載置され、かつ該フロートは、ゴムボタンの凹部に挿入され、かつフロート筒はゴムボタンの有孔に挿入されていることにより、ニードルレスシリンジを受入部２５からの挿入し、シリンジの先端でフロート２を押すと、該フロート２は下降し、前記ゴムボタンの凹部３１内の空気は、フロート２のフランジ２１に有する孔、即ち空気発散孔２３を通して抜けるので、フロート筒は下降し、ゴムボタンの有孔に設けられた閉塞孔３３を押し開けて開口するので、開口時には十分な液の供給を行うことができ、更に該ゴムボタンの外壁の周囲に円周方向にシールリップを有すると共に、底の中央部に外方に延びる凸部を有し、該凸部は、先端が閉塞孔を有する有孔であって、該内壁には円周方向にシールリップを有することにより、シリンジ使用時における液もれを完全に防止することができるという格別優れた効果を奏するものであります。
【００１１】
本願第２項のニードルレス混注管は、前記第１項において、ゴムボタンの側壁に少なくとも２個の欠除部を有することにより、フロートの上下動を容易かつ滑らかにすることができるという優れた効果を奏するものである。
【００１２】
本願第３項のニードルレス混注管は、前記第１項において、ゴムボタンは中央部に先端が閉塞孔である筒状凸部を有し、その反対側が平面に形成されたゴムボタンＩとこの上に環状部材からなるゴムボタンＩＩとからなり、前記ゴムボタンＩの筒状凸部は、本管の流通孔に嵌合しており、更に本管の流通路には落下止を有することを特徴とするもので、これにより、両者は分離しているため、フロートの上下動に際し、ゴムボタンＩＩは形状変形してフロート筒の摺動を極めて良好に行うことができ、その結果、ゴムボタンＩは、ゴムボタンＩＩの形状変形による影響を受けず、薬液・血液もれに対して、確実にシールを行うことができるという優れた効果を奏するものであります。
【００１４】
本願第４項のニードルレス混注管は、前記第３項において、ゴムボタンＩＩが環状部材に代えて環状スプリングを用いたことにより、フロートの上下動に際し、フロート筒の摺動を極めて良好に行うことができ、その結果、ゴムボタンＩは、ゴムボタンＩＩの形状変形による影響を受けず、薬液・血液もれに対して、確実にシールを行うことができるという優れた効果を奏するものである。
【００１６】
本願第５項のニードルレス混注管は、前記第３項又は第４項において、ゴムボタンＩとゴムボタンＩＩとの間にプレートが介在していることにより、ゴムボタンＩの平面が湾曲（形状変形）することがなく、したがってゴムボタンＩＩのゴム弾性の発現を良好にすることができる。またプレートに段差を有する構造のものにおいては、ゴムボタンＩＩを確実に固定することができるという優れた効果を奏するものである。
【００１７】
請求項１に記載されるように、フロートのフランジ部に空気発散孔を少なくとも１個有することにより、使用時にゴムボタン凹部空間に存在する空気を逃がしフロートの上下動を滑らかにすることができる。
【００２３】
【発明の実施の形態】
以下に、本発明の実施の形態を図面を参照して説明するが、本発明は、これに限定されるものではない。
【００２４】
本発明のニードルレス混注管は、各種の流路内に設置して使用されるが、例えば、輸血用、輸液用、薬液用、例えば栄養剤や生理食塩水等の供給用、その他の接続部位に設置される。ここでは特にニードルレス混注管を例にして本発明を説明する。図１は、本発明のニードルレス混注管を示す切欠き斜視図である。図２は、図１の本管方向の断面図である。図３は、本発明に対する参考図として、ニードルレス混注管のフロートとゴムボタンを示す断面図である。図４において、図４のａ、ｂは、本発明のニードルレス混注管に内蔵されるフロートの断面図及び半断面斜視図である。図４のｃ、ｄは、その参考図の断面図及び半断面斜視図である。図５は、サイドホール型フロート用のシールリップ付きゴムボタンを示す参考図の断面図である。図６は、直下ホール型フロート用のシールリップ付きゴムボタンを示す断面図である。図７において、図７のａ、ｂは、欠除部を有するシールリップ付きゴムボタンを示す断面図及び半断面斜視図である。図７のｃ、ｄは、その参考図の断面図及び半断面斜視図である。図８は、ロック式シリンジ用蓋を示す断面図である。図９は、本発明のニードルレス混注管に用いられるロック式シリンジを示す部分断面図である。図１０は、輸血、輸液用の容器に使用した場合の一実施形態を示す断面図である。
【００２５】
図１１は、本発明のニードルレス混注管の内部に収納されたゴムボタンを示す断面図である。図１２は、本発明のニードルレス混注管の内部に収納されたゴムボタン及びフロートの別の形態を示す参考図の断面図である。図１３は、本発明のニードルレス混注管の内部に収納されたゴムボタンの更に別の形態を示す参考図の断面図である。図１３ａは、その断面図であり、図１３ｂは、その斜視図である。図１４は、ニードルレス混注管の内部に収納されたゴムボタンの更に別の形態を示す参考図の断面図である。図１４ａは、その断面図であり、図１４ｂは、その斜視図である。図１５は、ニードルレス混注管の内部に収納されたゴムボタンＩＩ及びフロート受入部と注入管等の嵌合密着性をよりたかめる形状を考慮した、更に別の形態を示す参考図の断面図である。
【００２６】
図１及び図２において、ニードルレス混注管は、本管４と側管６とでＴ字形に構成されている。しかしＴ字形にこだわる必要もなくＹ字形やト字形でもよいことは明らかである。本管４は、開口端４２及び４３を有しており、これらには通常チューブが接続される。また側管６の接続部には流通孔４１を有している。側管６には、フロート２及びゴムボタン３を有し、本管４と側管６との流通が遮断されており、更に蓋１が装着されている。蓋１は上面に窪み１２を有し、その中央部には同心円状に挿入孔１１を有する。側管６の内部には、フロート２及び下方（又は外方）に延びる凸部３２を有するゴムボタン３を有しており、該ゴムボタン３の上面にはフロート２のフランジ２１が載置され、かつ該フロート２はゴムボタン３の凹部３１に挿入されている。また該ゴムボタン３の凸部３２の内孔３６には、フロート筒２２の先端が挿入されており、フロート２が上下動するにしたがい、フロート筒２２が上下に摺動し、フロート筒２２の先端はゴムボタン３の突起３２の内孔３６の下に位置する閉塞孔３３を押し開ける。その結果、閉塞孔３３は開口し液の流通が可能となる。
【００２７】
フロート２は、シリンジの注入筒の受入部２５を有し、更に中央直下に延びるフロート筒２２を有し、更にゴムボタン３に支持されるフランジ２１及びその近傍に孔２３を有している。この孔は空気の逃げ孔である。またゴムボタン３はフロート２を嵌合する凹部３１を有しており、更に中央部には本管４の接続孔４１に延びる凸部３２を有し、凸部３２には内孔３６を有し、その先端は閉塞孔３３を有すると共にフロート筒２２が挿入されている。ゴムボタン３の外面又は内孔３６の内壁には、それぞれもれ防止用凸部いわゆるシールリップを有する。このシールリップによりシリンジ使用時における液もれを完全に防止することができる。図２に示される型のニードルレス混注管では、平時は閉塞孔３３は閉塞されており、完全な液に対する遮断がなされているが、使用時には受入部２５に挿入されたニードルレスシリンジの注入筒（先端）によってフロート２は下方に押すとフロート２は押されて降下する。その際、ゴムボタン３の凹部３１内の空気が前記フロート２のフランジに設けられた孔２３、即ち空気発散孔２３より抜けてフロート２は、降下し易くなり容易に下降する。フロート筒２２の先端は、ゴムボタン３の凸部３２の有孔３６内に挿入されているので、該フロート筒２２は、有孔３６の底に設けられている閉塞孔３３を貫通する。即ち、開口されているフロート筒２２の先端で閉塞孔３３を押し開けて開口するので、開口時には充分な液の供給を行うことができるという優れた効果を奏するものである。
【００２８】
図３は、本発明に対する参考図として、ニードルレス混注管のフロートとゴムボタンを示す断面図であり、図３において、ニードルレス混注管１の側管６には、フロート２及びゴムボタン３が内蔵されて本管４と側管６との流通が遮断されており、更に蓋１が装着されている。ここでは、フロート筒２２は、その先端部には閉塞部２７を有し、かつ該筒２２の側壁に側孔２８を設けている。更にゴムボタン３の凸部（有孔である）３２の先端は開口部３７を有するもので、これによりフロート２が下降すると側孔２８が本管内に侵入する結果、本管４と側管６間は流通する。またこのゴムボタン３にも外面又は内孔３６の内壁には、それぞれもれ防止用凸部いわゆるシールリップを有する。
【００２９】
図４は、本発明のニードルレス混注管に内蔵されるフロートの形態を示す断面図及び半断面斜視図である。図４のａ又はｂは、直下ホール型であり、フロート２の直下に延びるフロート筒の先端は開口されている。また図４のｃ又はｄは、側孔型いわゆるサイドホール型の参考図であり、フロート２の直下に延びるフロート筒２２の先端は閉塞２７されており、その側壁に側孔２８を有している。フロート２の材質は、硬質部材で、押圧により原則として形状変形がなくかつゴムとの摩擦係数の小さい、即ち滑りやすい材質がよい。例えば、ポリアセタール樹脂、ＡＢＳ（アクリルニトリル・ブタジエン・スチレン樹脂）等が挙げられる。
【００３０】
図５は、サイドホール型フロート用のシールリップ付きゴムボタンを示す参考図の断面図であり、それぞれの実施の形態が示されている。図５のａは、シールリップ３５がゴムボタン３の内孔３６の内壁に設けられている。図５のｂは、シールリップ３４がゴムボタン３の外表面に設けられている。また図５のｃは、シールリップ３４がゴムボタン３の外表面でありかつ底面に設けられている。更に図５のｄでは、シールリップ３４がゴムボタン３の外表面に設けられると共にシールリップ３５が内孔３６の内壁に二個設けられている。更にまた図６は、直下ホール型フロート用のシールリップ付きゴムボタンを示す断面図であり、これは閉塞孔３３を有するゴムボタン３の場合に使用されるものであり、このゴムボタン３の外表面に設けられると共にシールリップ３５が内孔３６の内壁に設けられている。
【００３１】
図７は、欠除部を有するシールリップ付きゴムボタンを示す断面図及び半断面斜視図である。図７において、ゴムボタン３は、凹部３１の周壁３９には、ゴムボタンのつぶれ部が逃げるようにまたゴムボタン自体がつぶれやすいように欠除部３８を有しており、この欠除部３８の数は、２個以上でよいが、フロート２を支持することを考慮すると２個３個、４個がバランス上好ましい。図７のａ又はｂは、フロート２が直下型ホールに使用される場合であり、また図７のｃ又はｄは、フロート２が直下型ホールに使用する場合の参考図である。ゴムボタン３の材質は、弾性部材であれば特に限定されるものではないが、一例を挙げれば、シリコーンゴム、天然ゴム（例えば純化天然ゴム）、ポリウレタン、軟質ポリ塩化ビニル、スチレン−ブタジエン共重合体、ポリイソプレン、アクリロニトリル−ブタジエン系共重合体等が挙げられる。好ましくは純化天然ゴム又はポリイソプレンが好ましい。
【００３２】
図８は、ロック式シリンジ用蓋を示す断面図である。図８のａのゴムボタン３は、接続固定部材１５が蓋１の上部に設けられており、外面にはネジ山１３が設けられている。また図８のｂにおいては、ネジ山１４を１個有するものである。この種のゴムボタン３にあっては、ロック式シリンジ用として、図９に示されるものが好ましく用いられる。
【００３３】
本発明のニードルレス混注管は、筒状管またはシリンジを接続するが、このシリンジの先端は、このままか又は好ましくはテーパーを有する筒状管を設けたものを使用する方がよい。このテーパー部の先端は、丸みを帯びた形状がよい。本発明のニードルレス混注管は、適宜の用途に使用されるが、一例を挙げれば、輸液・輸血セット、血液回路、バッグ類の蓋、薬液ビンの蓋、検査器具等に用いられる。使用の一例を図９を示して説明すると、図９において、ロック式シリンジ５は、筒状管５１を有し、該筒状管５１と同心円上に固定部５２を有し、該固定部５２は、内壁にネジ山５３が設けられており、蓋の接続固定部１５にネジで係合することによりこのネジ山５３により閉められて固定される。
【００３４】
図１０は、輸血、輸液用の容器に使用した場合の一実施形態を示すものであり、輸血バッグ又はビン・薬液バッグ又はビン７の出口に混注ボタン（フロートとゴムボタンの組合せ）１０を取り付け、流路管８に取り付けた注入管８１を挿入し、流路を開放している。
【００３５】
図１１は、本発明のニードルレス混注管の内部に収納されたゴムボタン及びフロートを示す断面図である。図１１において、混注管の内部に収納されているゴムボタンは、符号３ａで示されるゴムボタンＩと符号６１で示されるゴムボタンＩＩとからなり、ゴムボタンＩは、中央部に閉塞孔３３を有する凸部３２を有し、この凸部３２の反対側が平面６６に形成されたゴムボタンＩとこの上に環状部材からなるゴムボタンＩＩが配置されている。またこのゴムボタンＩＩは、環状の外面は平坦に形成される。更に該ゴムボタンＩとゴムボタンＩＩとの間には、プレート６２が設けられており、このプレート６２は、円板状からなり、中央部に貫通孔６５を有している。このプレート６２は、ゴムボタンＩをゴムボタンＩＩが押圧したときの湾曲を防止するために設けており、場合によってはなくてもよい。この例では、フロート２が下方に押されると、フロート筒２２が押されてゴムボタンＩの内孔３６内を摺動し、ゴムボタンＩの底に設けられている閉塞孔３３を突き抜け流路が開口する。本発明では、側管６と本管接続部との開口部７３の周辺に落下止７１を設けられている。これによりゴムボタンＩの先端部がフロート筒の下降と共に落下するのを効果的に防止することができる。
【００３６】
図１２は、本発明に対する参考として、ニードルレス混注管の内部に収納されたゴムボタン及びフロートの別の形態を示す参考図の断面図である。図１２において、混注管の内部に収納されているゴムボタンは、符号３ｂで示されるゴムボタンＩと符号６１で示されるゴムボタンＩＩとからなり、ゴムボタンＩは、中央部に開口３７を有する凸部３２を有し、この凸部３２の反対側が平面６６に形成されたゴムボタンＩとこの上に環状部材からなるゴムボタンＩＩが配置されている。またこのゴムボタンＩＩは、環状部材として筒が用いられ、この筒の外面は平坦に形成される。更に該ゴムボタンＩとゴムボタンＩＩとの間には、プレート６２が設けられており、このプレート６２は、円板状からなり、中央部に貫通孔６５を有している。このプレート６２は、ゴムボタンＩをゴムボタンＩＩが押圧したときの湾曲を防止するために設けており、場合によってはなくてもよい。この例では、フロート２には、下方にフロート筒２２を有しており、このフロート筒２２の先端は閉塞されており、該筒２２の側壁には孔２８が設けられている。フロート２が下方に押されると、フロート筒２２が押されてゴムボタンＩの内孔３６内を摺動し、ゴムボタンＩの底の開口部３７を抜けると、筒２２の側壁の孔から液が流通する。このニードルレス混注管では、側管６と本管接続部との開口部７３の周辺に落下止７１を設けられている。これによりゴムボタンＩの先端部がフロート筒の下降と共に落下するのを効果的に防止することができる。
【００３７】
図１３は、本発明に対する参考として、ニードルレス混注管の内部に収納されたゴムボタンの更に別の形態を示す参考図の断面図である。図１３ａは、その断面図であり、図１３ｂは、その斜視図である。図１３ａ及び図１３ｂにおいて、混注管の内部に収納されているゴムボタンは、符号３ｂで示されるゴムボタンＩと符号６１で示されるゴムボタンＩＩとからなり、ゴムボタンＩは、中央部に開口３７を有する凸部３２を有し、この凸部３２の反対側が平面６６に形成されたゴムボタンＩとこの上に環状部材からなるゴムボタンＩＩが配置されている。またこのゴムボタンＩＩは、環状部材は筒状体であり、この筒状体の外面は湾曲状６７に形成される。更に該ゴムボタンＩとゴムボタンＩＩとの間には、プレート６４が設けられており、このプレート６４は、円板状からなり、上面に段差６８が形成されており、この段差６８によりゴムボタンＩＩを押圧時に安定して動作させることができる。またこのプレート６４は、中央部に貫通孔６５を有している。このプレート６４は、ゴムボタンＩをゴムボタンＩＩが押圧したときの湾曲を防止するために設けており、場合によってはなくてもよい。この例では、ポリアセタール樹脂で形成されたフロート２には、下方にフロート筒２２を有しており、このフロート筒２２の先端は閉塞されており、該筒２２の側壁には孔２８が設けられている。フロート２が下方に押されると、フロート筒２２が押されてゴムボタンＩの内孔３６内を摺動し、ゴムボタンＩの底の開口部３７を抜けると、フロート筒２２の側壁の孔から液が流通する。この例では、ゴムボタンＩ及びゴムボタンＩＩの材質は、シリコーンゴム又はイソプレンゴムが使用される。このニードルレス混注管では、側管６と本管接続部との開口部７３の周辺に落下止７１を設けられている。これによりゴムボタンＩの先端部がフロート筒の下降と共に落下するのを効果的に防止することができる。
【００３８】
図１４は、本発明に対する参考として、ニードルレス混注管の内部に収納されたゴムボタンの更に別の形態を示す参考図の断面図である。図１４ａは、その断面図であり、図１４ｂは、その斜視図である。図１４ａ及び図１４ｂにおいて、混注管の内部に収納されているゴムボタンは、符号３ｂで示されるゴムボタンＩと符号６１で示されるゴムボタンＩＩとからなり、ゴムボタンＩは、中央部に開口３７を有する凸部３２を有し、この凸部３２の反対側が平面６６に形成されたゴムボタンＩとこの上に環状部材からなるゴムボタンＩＩが配置されている。またこのゴムボタンＩＩは、環状部材は環状スプリング６１ａからなっている。更に該ゴムボタンＩとゴムボタンＩＩとの間には、プレート６４が設けられており、このプレート６４は、円板状からなり、上面に段差６８が形成されており、この段差６８によりゴムボタンＩＩを押圧時に安定して動作させることができる。またこのプレート６４は、中央部に貫通孔６５を有している。このプレート６４は、ゴムボタンＩをゴムボタンＩＩが押圧したときの湾曲を防止するために設けており、場合によってはなくてもよい。この例では、フロート２には、下方にフロート筒２２を有しており、このフロート筒２２の先端は閉塞されており、該筒２２の側壁には孔２８が設けられている。フロート２が下方に押されると、フロート筒２２が押されてゴムボタンＩの内孔３６内を摺動し、ゴムボタンＩの底の開口部３７を抜けると、フロート筒２２の側壁の孔から液が流通する。このニードルレス混注管では、側管６と本管接続部との開口部７３の周辺に落下止７１を設けられている。これによりゴムボタンＩの先端部がフロート筒の下降と共に落下するのを効果的に防止することができる。
【００３９】
図１５は、本発明に対する参考として、ニードルレス混注管の内部に収納されたゴムボタンの更に別の形態を示す参考図の断面図である。図１５において、混注管の内部に収納されているゴムボタンは、符号３ｃで示されるゴムボタンＩと符号６１で示されるゴムボタンＩＩとからなり、ゴムボタンＩは、中央部に開口３７を有する凸部３２を有し、この開孔３７の内面が下方に向かって径が小さく形成されており、また凸部３２の反対側が平面６６に形成されたゴムボタンＩとこの上に環状部材からなるゴムボタンＩＩが配置されている。またこのゴムボタンＩＩは、環状部材の筒状体からなり、この筒状体は湾曲形６９に形成される。更に該ゴムボタンＩとゴムボタンＩＩとの間には、プレート６４が設けられており、このプレート６４は、円板状からなり、上面に段差６８が形成されており、この段差６８によりゴムボタンＩＩを押圧時に安定して動作させることができる。またこのプレート６４は、中央部に自由貫通孔６５ａを有している。このプレート６４は、ゴムボタンＩをゴムボタンＩＩが押圧したときの湾曲を防止するために設けており、場合によってはなくてもよい。更にフロート２は、下方にフロート筒２２を有しており、このフロート筒２２の先端は閉塞されており、該筒２２の側壁には孔２８が設けられている。またフロートの上部は、蓋１のシリンジ先端の受入部２５内へ延びる環状部７２を有し、この環状部７２に、直接、シリンジ先端が挿入された際の、シリンジ先端テーパ部５１や注入管８１等との嵌合・密着性を良好にする。この例では、フロート２が下方に押されると、フロート筒２２が押されてゴムボタンＩの内孔３６内を摺動し、ゴムボタンＩの底の開口部３７を抜けると、フロート筒２２の側壁の孔から液が流通する。このニードルレス混注管では、側管６と本管接続部との開口部７３の周辺に落下止７１を設けられている。これによりゴムボタンＩの先端部がフロート筒の下降と共に落下するのを効果的に防止することができる。
【００４１】
【発明の効果】
本発明のニードルレス混注管は、弾性部材が、本管と側管との流通及び遮断をゴムボタンとこれに嵌合するフロートの組合せにより行うもので、即ち、ゴムボタンは、中央部に有孔と閉塞孔を有する凹部を有し、またフロートは、周囲にフランジを有すると共に、該フロートから直下に延びるフロート筒を有し、かつ該筒の孔と連通した上部に受入部を有するものからなり、更にフロート筒はゴムボタンの有孔に挿入されており、かつ閉塞孔を摺動自在に貫通し得ることによりシリンジ等の筒状管を差し込む際、位置合わせが容易であると共に、フロートから直下に延びる筒状体が閉塞孔を開口することによって本管内へ供給することができるという格別優れた効果を奏するものである。
【００４２】
本発明は、ゴムボタンの外面及び有孔内壁にもれ防止用環状突起を有することにより、使用時に液もれがないという優れた効果を奏するものである。また本発明は、ゴムボタンの側壁に少なくとも２個の欠除部を有することにより、フロートの上下動を容易かつ滑らかにすることができるという優れた効果を奏するものである。本発明は、側管蓋に接続固定部材を有することにより、シリンジ等の接続時に充分固定され、脱落等の事故防止に優れた効果を奏するものである。更に本発明では、側管の中央開口部には、ゴムボタンＩの凸部（先端部）の本管への落下止が設けられており、この落下止によりゴムボタンＩの先端部がフロート筒の下降と共に落下するのを防止することができる。
【図面の簡単な説明】
【図１】本発明のニードルレス混注管を示す切欠斜視図である。
【図２】図１の本管方向の断面図である。
【図３】ニードルレス混注管のフロートとゴムボタンを示す参考図の断面図である。
【図４】本発明のニードルレス混注管に内蔵されるフロートの断面図及び半断面斜視図である。
【図５】サイドホール型フロート用のシールリップ付きゴムボタンを示す参考図の断面図である。
【図６】直下ホール型フロート用のシールリップ付きゴムボタンを示す断面図である。
【図７】欠除部を有するシールリップ付きゴムボタンを示す断面図及び半断面斜視図である。
【図８】ロック式シリンジ用蓋を示す断面図である。
【図９】本発明のニードルレス混注管に用いられるシリンジを示す部分断面図である。
【図１０】輸血、輸液用の容器に使用した場合の一実施形態を示す断面図である。
【図１１】本発明のニードルレス混注管の内部に収納されたゴムボタンを示す断面図である。
【図１２】ニードルレス混注管の内部に収納されたゴムボタンの別の形態を示す参考図の断面図である。
【図１３】ニードルレス混注管の内部に収納されたゴムボタンの更に別の形態を示す参考図の断面図である。図１３ａは、その断面図であり、図１３ｂは、その斜視図である。
【図１４】ニードルレス混注管の内部に収納されたゴムボタンの更に別の形態を示す参考図の断面図である。図１４ａは、その断面図であり、図１４ｂは、その斜視図である。
【図１５】ニードルレス混注管の内部に収納されたゴムボタンの更に別の形態を示す参考図の断面図である。
【符号の説明】
１  蓋                                ３６  ゴムボタン内孔（有孔）
２  フロート                          ２８  側孔
３，３ａ，３ｂ，３ｃ  ゴムボタン      ３１  凹部
４  本管                              ３２  凸部
５  シリンジ                          ３７  開口部（ゴムボタンＩ）
６    側管                            ３８  欠除部
７  バッグ又はビン                    ３９  ゴムボタン周壁
８  流路管                            ４１  流通孔又は接続孔
１０  混注ボタン                      ４２、４３  開口端
１１  挿入孔                          ５１  筒状管
１２  窪み                            ５２  固定部
１３  ネジ山                          ５３  ネジ山
１４  固定部（ネジ山）                ６１  ゴムボタンＩＩ
１５  接続固定部材                    ６１ａ  環状スプリング
２０  筒孔                            ６２、６４  プレート
２１  フランジ                        ６３  空間
２２  フロート筒                      ６５  貫通孔
２３  孔                              ６６  平面
２４  フロート孔又は内孔              ６７  湾曲状
２５  受入部                          ６８  段差
２６  環状側壁                        ６９  湾曲形（形状変形）
２７  閉塞部                          ７１  落下止
３３  閉塞孔                          ７２  上部環状部
３４、３５  凸部又はシールリップ      ７３  側管の中央開口部
８１  注入管
【図１】
0004268289.tif 000002
【図２】
0004268289.tif 000003
【図３】
0004268289.tif 000004
【図４】
0004268289.tif 000005
【図５】
0004268289.tif 000006
【図６】
0004268289.tif 000007
【図８】
0004268289.tif 000008
【図９】
0004268289.tif 000009
【図１０】
0004268289.tif 000010
【図１１】
0004268289.tif 000011
【図１２】
0004268289.tif 000012
【図１３】
0004268289.tif 000013
【図１４】
0004268289.tif 000014
【図１５】
0004268289.tif 000015
【図７】
0004268289.tif 000016